(57)【要約】【課題】電源ブロックに重量化・大型化が施された場合にも、電源ブロックの機器本体からの取外しにかかる操作性を良好に維持できるような電気機器を提供する。【解決手段】機器本体２への給電を行う電源ブロック１を、係止手段を介して機器本体２に着脱自在に装着してなる電気機器である。係止手段の係合を解除させるために操作する操作部３を電源ブロック１に設ける。操作部３の操作方向を電源ブロック１の機器本体２への着脱方向に対する軸廻り方向に設定する。【選択図】        図１
2004152507.tif 000002
【特許請求の範囲】
【請求項１】
機器本体への給電を行う電源ブロックを、係止手段を介して機器本体に着脱自在に装着してなる電気機器において、係止手段の係合を解除させるために操作する操作部を電源ブロックに設けると共に、この操作部の操作方向を電源ブロックの機器本体への着脱方向に対して軸廻り方向に設定してなることを特徴とする電気機器。
【請求項２】
電源ブロックの外殻ハウジングを操作部としてなることを特徴とする請求項１記載の電気機器。
【請求項３】
ある一定の回転位置に位置した操作部によって係止手段の係合が解除されるように設定してなることを特徴とする請求項１記載の電気機器。
【請求項４】
電源ブロックと機器本体との電気的接続を行わせる通電端子を電源ブロック及び機器本体にそれぞれ設け、この通電端子同士の接触を機器本体に対する電源ブロックの回転動作によって行うように設定してなることを特徴とする請求項１記載の電気機器。
【請求項５】
電源ブロックまたは機器本体の少なくとも一方の通電端子の接触面において、通電域と非通電域とを電源ブロックの回転方向に並べて配置してなることを特徴とする請求項４記載の電気機器。
【発明の詳細な説明】
【０００１】
【発明の属する技術分野】
本発明は、電気機器の電源となる電源ブロックの機器本体への装着構造に関する発明である。
【０００２】
【従来の技術】
従来から、たとえば電動工具などの電気機器の電源となる電源ブロック１の機器本体２への装着構造にあっては、図２１に示すように、電源ブロック１に設けた係止爪６を機器本体２に設けた被係止部７に引っ掛け係止させることで、電源ブロック１の機器本体２への保持が行われている。詳しくは、上記係止爪６は電源ブロック１の側縁に板バネ１２を介在して内外方向に突没自在に設けられており、係止爪６と一体に形成された操作部３が電源ブロック１の窓部３１から外方に露出され、使用者がこの操作部３を板バネ１２の付勢に抗って電源ブロック１の内方に押し込むことで（矢印Ｊ）、係止爪６と被係止部７との係止が外れ、電源ブロック１が機器本体２から取り外せるようになっている（たとえば、特許文献１参照）。
【０００３】
【特許文献１】
特開平６−１１１８５３号公報（図１，図２）
【０００４】
【発明が解決しようとする課題】
しかしながら、上記構成による電源ブロック１の機器本体２への装着構造を、たとえば電気容積や電源電圧を拡大させたりして重量化・大型化がなされた電源ブロック１の機器本体２への装着に用いた場合には、電源ブロック１の大型化・重量化に伴って、電源ブロック１は手に余る大きさになって掴みにくくなると共に、重量の重い電源ブロック１を支える係止爪６と被係止部７との係合を確保する板バネ１２の弾性力も大きくなる。しかして、この大型化・重量化がなされた電源ブロック１の機器本体２への取外しにあっては、掴みにくい電源ブロック１を手でしっかりと掴み、同時に、この手の指で、強い弾性力有する板バネ１２の付勢に抗って操作部３を電源ブロック１内方に押し込むようにして行わねばならないものである。つまり、電源ブロック１の重量化・大型化に伴い、電源ブロック１の機器本体２からの取外しにかかる操作性が極めて悪化してしまうものであった。
【０００５】
本発明は上記の点に鑑みてなされたものであり、電源ブロックに重量化・大型化が施された場合にも、電源ブロックの機器本体からの取外しにかかる操作性を良好に維持できるような電気機器を提供することを課題とするものである。
【０００６】
【課題を解決するための手段】
上記課題を解決するために本発明に係る電気機器は、機器本体２への給電を行う電源ブロック１を、係止手段を介して機器本体２に着脱自在に装着してなる電気機器において、係止手段の係合を解除させるために操作する操作部３を電源ブロック１に設けると共に、この操作部３の操作方向を電源ブロック１の機器本体２への着脱方向に対する軸廻り方向に設定してなることを特徴とする。これにより、電源ブロック１を機器本体２から取外す操作は、電源ブロック１を掴む力を利用して操作部３を回転させればよいものとなり、つまり従来技術のように電源ブロック１内に操作部３を押し込むために電源ブロック１をしっかりと掴む必要はなくなるので、電源ブロック１に重量化・大型化が施されて電源ブロック１が掴みにくくまた操作部３の操作に必要な力が大きくなっても、その操作への影響は従来のものに比べて軽微にできるのであり、したがって、電源ブロック１の重量化・大型化にも操作性の悪化を伴わずに対応可能となっている。
【０００７】
また、電源ブロック１の外殻ハウジング５を操作部３としたことも好ましい。これによると、電源ブロック１自体を掴んでそのまま回転させるといった操作で電源ブロック１の機器本体２からの取外しが行え、電源ブロック１の機器本体２からの取外しにかかる操作性を高めることができる。
【０００８】
また、ある一定の回転位置に位置した操作部３によって係止手段の係合が解除されるように設定してなることも好ましい。これによると、操作部３をある程度回転させたときに初めて係止手段の係合の解除にかかる力が必要とされるので、操作部３の回転と同時に上記解除にかかる力が必要とされるものに比べ、係止手段の係合の解除を操作部３へのスムーズな力の付加によって行うことができ、電源ブロック１の機器本体２からの取外しにかかる操作性を高めることができる。
【０００９】
また、電源ブロック１と機器本体２との電気的接続を行わせる通電端子１０を電源ブロック１及び機器本体２にそれぞれ設け、この通電端子１０同士の接触を機器本体２に対する電源ブロック１の回転動作によって行うように設定したことも好ましい。これによると、たとえば、通電端子１０同士の接触を行う電源ブロック１の回転動作の回転方向を、電源ブロック１と機器本体２との着脱動作である操作部３の回転操作方向と同じ方向に設定すると、操作部３の回転操作の延長操作上で電源ブロック１と機器本体２との電気的接続または切断を行わせることができ、つまり電源ブロック１と機器本体２との着脱及び電気的接続を操作部３の一連の操作によって行わせることができ、電源ブロック１と機器本体２との電気的接続と共に行われる着脱操作の操作性を高めることができる。
【００１０】
また、電源ブロック１または機器本体２の少なくとも一方の通電端子１０における接触面に、通電域２５と非通電域２６とを電源ブロック１の回転方向に並べて配置したことも好ましい。これによると、電源ブロック１を回転させて所定位置に通電端子１０の通電域２５を位置させたときのみ、電源ブロック１と機器本体２との電気的接続が為されるようにでき、たとえば、電源ブロック１を機器本体２に係止手段を介して係合させた状態において、電源ブロック１と機器本体２との通電端子１０の接触状態に通電域２５での接触状態と非通電域２６での接触状態との２つの状態を設定することができ、この電源ブロック１の機器本体２への通電の有無に違いのある２つの状態を、電気機器の駆動スイッチとして利用したり、ロック機能として利用して電源ブロック１装着時の電動工具の誤作動の防止を図ったり、電源ブロック１の操作部３の誤操作によってもすぐに機器本体２から電源ブロック１が外れないようにして使用中の電動工具の機器本体２から電源ブロック１の予期し得ない脱落の防止を図ったりできる。
【００１１】
【発明の実施の形態】
本発明は、機器本体２への給電を行う電源ブロック１を、係止手段を介して機器本体２に着脱自在に装着してなる電気機器における、電源ブロック１の機器本体２への装着構造に特徴を有しており、詳しくは、電源ブロック１に重量化・大型化が施された場合にも、電源ブロック１の機器本体２からの取外しにかかる操作への影響を軽微にして、電源ブロック１の機器本体２からの取外しにかかる操作性を良好に維持できるような電源ブロック１の機器本体２への装着構造に特徴を有したものである。なお、以下に示す本発明の実施形態の諸例では、電気機器として電動工具を例に挙げて説明する。
【００１２】
ここで、電動工具は、図９に示すように、ドリルやドライバ等の工具を装着させるチャック部２７や該チャック部２７の駆動を行わせる駆動部（図示せず）を備えた本体部２８と、この本体部２８から下方に延設した把持部２９とから成る機器本体２を有し、この機器本体２の把持部２９の下端部に電源ブロック１を下方から上方に向けて嵌め込むと共に係止手段を介して装着して構成された電気機器である。なお、電源工具の駆動、すなわち駆動部への給電のオンオフはレバーハンドル３０にて操作され、電源ブロック１としては、図示する２次電池８を収容した電池パックや、電源コード付きの電源パックが想定される。また、電源ブロック１を機器本体２に装着させる係止手段としては、従来同様、電源ブロック１に設けた係止爪６と、この係止爪６が係合される機器本体２に設けた被係止部７とで構成されている。そして、係止手段を構成する係止爪６と被係止部７との係合を解除させるためには、電源ブロック１に設けた操作部３の操作によって行われるようにされている。
【００１３】
上述したように、本発明は電源ブロック１の機器本体２への装着構造に特徴を有するものであるから、以下に説明する本発明の実施形態の諸例では、電源ブロック１の機器本体２への装着構造を中心に説明していくものとする。
【００１４】
図１乃至図９に本発明の実施の形態の例を示す。電源ブロック１は、給電装置等を備えたブロック本体４と、ブロック本体４に水平回転自在に取り付けてブロック本体４の外側を覆う外殻ハウジング５とを有して構成されている。なお、水平回転方向は、電源ブロック１の機器本体２への着脱方向である上下方向（図１矢印Ａ）に対する軸廻り方向（図１矢印Ｂ）である。上記ブロック本体４は、２次電池８が整列して内装されると共に、機器本体２に挿入される端子部９が上方に突設されて形成された函状体である。そして、この端子部９には、上記２次電池８と電気的に接続され、機器本体２側の入電部である機器本体側通電端子１０ａに接触させる電源ブロック側通電端子１０ｂが１対設けられている（図１７参照）。つまり、ブロック本体４が備える給電装置とは、機器本体２に電気を供給する２次電池８から電源ブロック側通電端子１０ｂまでの電気的接続機構をいう。
【００１５】
また、このブロック本体４には、上述した機器本体２の被係止部７と共に係止手段を構成する係止爪６が設けられている。この係止爪６は、ブロック本体４の側面に板バネ１２を介して取り付けられた縦板状の爪部材１１の上端に設けられ、板バネ１２の弾性によってブロック本体４の水平方向に突没自在になるよう設けられている。なお、爪部材１１は、その内面で下端をブロック本体４に固定させた板バネ１２の上端部分に取り付けられており、その外面には後述する外殻ハウジング５の押圧部１３によって押圧される被押圧部１４が設けられている。そしてこの被押圧部１４には外殻ハウジング５の押圧部１３を嵌合させるための凹状の嵌合溝１５が形成されている。また、ブロック本体４の底部中央部位には下方に突出した枢支軸１６が形成されている。この枢支軸１６にはその下方からネジ孔１７が穿設されている。ブロック本体４の底部にはまた本体側バネ受け突起１８ａが下方に向けて突設されている。
【００１６】
外殻ハウジング５は、上述したように、上記ブロック本体４に回転自在に取り付けられてブロック本体４の外側を覆うもので、底壁の外縁から側壁を立設してなる上方に開口する容器状の外殻体である。この外殻ハウジング５の底壁には、その中央に上下に貫通する軸孔１９を備えた円筒状の軸受け２０が形成され、また外殻側バネ受け突起１８ｂが上方に向けて突設されている。また、外殻ハウジング５には、その側壁内面に、内方へ突出する突起部１３ａで構成された押圧部１３が形成されている。更に言うと、外殻ハウジング５の外面には、指等を引っ掛けて把持し易い形状に施した把持補助部２１が形成されている。本例の把持補助部２１は、内方に突出する突起部１３ａを形成させるように外殻ハウジング５を内方に折り曲げた部位の外面に形成される内方に凹没した窪み２１ａ部分が構成している。
【００１７】
この外殻ハウジング５のブロック本体４への取付は、外殻ハウジング５の軸受け２０の軸孔１９に上方からブロック本体４の枢支軸１６を挿入して軸孔１９の下縁に枢支軸１６の先端を臨ませ、枢支軸１６の先端及び軸孔１９の下縁に下方からワッシャ２２を当接させてこのワッシャ２２を介して下方から該枢支軸１６のネジ孔１７にビス２３を螺着させることで外殻ハウジング５をブロック本体４に対して水平方向に回転自在に取り付け、また、この外殻ハウジング５とブロック本体４との間にはコイルバネ２４を介装させ、外殻ハウジング５のブロック本体４に対する水平回転がこのコイルバネ２４の付勢を受けるようにさせて行われる。詳しくは、このコイルバネ２４は、外殻ハウジング５の軸受け２０外面に巻装されると共に、その一端を外殻側バネ受け突起１８ｂに他端を本体側バネ受け突起１８ａにそれぞれ弾接させて設けられる。しかして、ブロック本体４に対して水平回転自在な外殻ハウジング５は、ブロック本体４との間に介装されるコイルバネ２４の付勢によって、ある所定位置を定位置とするように設定されているのである。ここで、上記所定位置とは、外殻ハウジング５の押圧部１３が爪部材１１の被押圧部１４の嵌合溝１５に嵌め込まれる位置に設定されている。なお、この押圧部１３が爪部材１１の被押圧部１４の嵌合溝１５に嵌め込まれた状態は電源ブロック１の通常状態であり、この状態では、押圧部１３が嵌合溝１５に嵌め込まれることで爪部材１１には板バネ１２の付勢以外の外力は加わらなく、板バネ１２の付勢を受けた爪部材１１の係止爪６は電源ブロック１の外方に突出した状態とされ、機器本体２の被係止部７と係合する状態にされている（図１，３，５，７）。
【００１８】
上記のようにブロック本体４に取付けられた外殻ハウジング５をコイルバネ２４の付勢に抗って水平回転させると（図２矢印Ｃ）、通常、嵌合溝１５に嵌め込まれていた押圧部１３が水平方向にずれて嵌合溝１５への嵌合が外れ、爪部材１１の被押圧部１４を板バネ１２の付勢に抗って内方に押圧し、係合部材の上端の係止爪６を電源ブロック１の内方に移動させるのである（図２，４，６，８）。この係止爪６は外方に突出した状態で機器本体２の被係止部７に係合されるのであるから、上述のように係止爪６を電源ブロック１の内方に移動させることで、係止爪６と機器本体２の被係止部７との係合が外れ、機器本体２に装着されていた電源ブロック１の取外しができるようになるのである。
【００１９】
上述した構成を有する本例の電動工具では、係止手段の係合を解除するために操作する操作部３は、電源ブロック１のブロック本体４に対して水平方向に回転自在に取り付けられた外殻ハウジング５が構成している。したがって、電源ブロック１を機器本体２から取外すには、外殻ハウジング５を掴んでそのまま水平方向へ回転させることで行われる。このように本例の電動工具は、従来技術のように電源ブロック１内に操作部３を押し込むために電源ブロック１をしっかりと掴む必要はないものである。しかして、電源ブロック１に重量化・大型化が施されて電源ブロック１が掴みにくくまた操作部３の操作に必要な力が大きくなっても、その操作への影響は従来のものに比べて軽微にできるのであり、したがって、電源ブロック１の重量化・大型化にも操作性の悪化を伴わずに対応可能とされているのである。
【００２０】
以下、本発明の実施の形態の他例を列挙する。ここでは、先の本発明の実施の形態の例と相違する部位のみを説明し、同じ部位には同番号を付して説明を省略する。
【００２１】
図１０には本発明の実施の形態の他例を示す。この例は、爪部材１１の被係止部７の嵌合溝１５における水平方向の溝幅を大きくとり、操作部３である外殻ハウジング５の押圧部１３を多少の遊びを有して嵌合させるようにし、図１０（ａ）→（ｃ）のように、水平回転させた外殻ハウジング５がある一定の回転位置に位置したときに、押圧部１３が嵌合溝１５から外れて爪部材１１を内方に押圧し、係止爪６を電源ブロック１の内方へ移動させて係止手段の係合を解除させるように設定された例である。
【００２２】
この例の電動工具では、外殻ハウジング５をある程度回転させたときに初めて係止手段の係合の解除にかかる力が必要となるものであり、先の実施の形態の例のように外殻ハウジング５の回転操作と同時に上記解除にかかる力が必要とされるものに比べ、係止手段の係合の解除を操作部３へのスムーズな力の付加によって行うことができ、つまり、電源ブロック１の機器本体２からの取外しにかかる操作性が高められているのである。
【００２３】
図１１乃至図１６には本発明の実施の形態の他例を示す。この例は、外殻ハウジング５を、ブロック本体４に固定される筒状の上部ハウジング５ａと、ブロック本体４に水平方向い回転自在に取付けられた下部ハウジング５ｂとで構成し、この下部ハウジング５ｂを操作部３とした例である。操作部３を構成する下部ハウジング５ｂには、爪部材１１の被押圧部１４を押圧する押圧部１３が設けられるが、この押圧部１３は、下部ハウジング５ｂの底壁の外縁近傍部分から筒状の上部ハウジング５ａの側壁内面に沿うように立設された縦棒部１３ｂで構成されている。
【００２４】
この例の電動工具では、電源ブロック１の外殻ハウジング５に、操作部３以外の固定状態とされる部分（上部ハウジング５ａ）を設けたことで、一方の手を使って電源ブロック１の上部ハウジング５ａを機器本体２と共に把持した状態で、他方の手を使って操作部３である下部ハウジング５ｂを把持して電源ブロック１を電気機器から取外せるようになっており、つまり、固定状態と同じ状態のまま電源ブロック１の機器本体２からの取外しが可能にされている。この例によっても先の実施の形態の例同様の作用効果を奏することができるのは勿論、更に、固定状態と同じ状態のまま電源ブロック１の機器本体２からの取外しができるので、安定した状態での電源ブロック１の機器本体２からの取外しが可能とされているのである。
【００２５】
図１７乃至図２０には本発明の実施の形態の更に他例を示す。この例は、機器本体２に電源ブロック１を装着させるのに、機器本体２への電源ブロック１の物理的な装着を係止手段の係合によって行わせる他に、機器本体２への電源ブロック１の電気的接続を電源ブロック１自体の水平回転操作によって行わせるタイプの電動工具であり、機器本体側通電端子１０ａに接触させる電源ブロック側通電端子１０ｂの接触面に、電源ブロック１の回転方向に通電域２５、非通電域２６を並べて配置したことを特徴としている。具体的に、電源ブロック側通電端子１０ｂは端子部９の左右に１対設けてあるが、左右の各電源ブロック側通電端子１０ｂの通電域２５及び非通電域２６は、電源ブロック１の左右対象位置ではなく、電源ブロック１の回転方向に順に並べて配置してある。なお、本例の電源ブロック１の構造は、図１乃至図９の実施の形態の例の電動工具と同様のものを採用している。なお、把持補助部２１としては、窪み２１ａに代わって、外殻ハウジング５の外面から外方に突出した突条２１ｂがこれを構成している。
【００２６】
この例の電動工具では、電源ブロック１を機器本体２に近接させ、電源ブロック１の端子部９を機器本体２の把持部２９の内部に下方から単に挿入させた状態では、係合手段の係合は為されるものの、機器本体側通電端子１０ａは電源ブロック側通電端子１０ｂの非通電域２６に接触した状態にあり、電源ブロック１と機器本体２との電気的接続は為されない。つまり、上記状態では、電源ブロック１の機器本体２への物理的な装着は為されているものの、電源ブロック１の機器本体２への電気的接続はなされておらず、すなわち電源ブロック１の機器本体２への仮装着状態となっている。この状態から電源ブロック１と機器本体２との電気的接続を為して電源ブロック１の機器本体２への完全装着状態にさせるには、上記仮装着状態の電源ブロック１自体を機器本体２に対して水平方向に回転させ、機器本体側通電端子１０ａを電源ブロック側通電端子１０ｂの通電域２５と接触した状態にさせねばならないようにされている。
【００２７】
このように本例の電動工具における電源ブロック１の機器本体２への装着状態には、電気的接続の伴わない仮装着状態と、電気的接続を伴った完全装着状態とがあり、完全装着状態は仮装着状態にさせた上で初めて移行できる状態にされているから、電動工具の使用直前に仮装着状態から完全装着状態にした上でレバーハンドル３０を用いて駆動させるように使用でき、言いかえれば、電源ブロック１を機器本体２に装着しても完全装着状態にしなければレバーハンドル３０を操作しても電動工具が駆動されないようにでき、電源ブロック１の機器本体２への装着状態での電源のロック機能を電動工具に付加することができて電動工具の誤作動の防止が図られているのである。
【００２８】
更に言うと、仮装着状態と完全装着状態との移行は、電源ブロック側通電端子１０ｂの非通電域２６または通電域２５への機器本体側通電端子１０ａの接触で行われ、この電源ブロック側通電端子１０ｂの非通電域２６または通電域２５への機器本体側通電端子１０ａの接触は、固定状態の機器本体２に対して電源ブロック１自体を水平回転操作することで行われるものであり、この電源ブロック１自体の水平回転操作は、実質、外殻ハウジング５の水平回転操作であって、この操作は係止手段を係脱させる外殻ハウジング５の水平回転操作と同方向への操作であるから、仮装着状態にする外殻ハウジング５の回転操作の延長操作にて仮装着状態と完全装着状態との移行が為されることとなり、つまり電源ブロック１と機器本体２との着脱及び電気的接続を外殻ハウジング５である操作部３の一連の操作によって行わせることができ、操作性が高められているのである。
【００２９】
なお、上記電動工具における仮装着状態と完全装着状態との移行を、レバーハンドル３０に替えて電動工具の駆動のスイッチのオンオフ操作に使用してもよい。これによると、レバーハンドル３０を設けずに済むことで電動工具の構成の簡略化を図ることができる。
【００３０】
また、仮装着状態では操作部３の操作によって電源ブロック１の機器本体２への着脱ができるようにされるものの、完全装着状態では操作部３の操作が行えずに電源ブロック１の機器本体２への装着が維持され続けるようにしておけば、電動工具の使用中の電源ブロック１の操作部３の誤操作によっても、機器本体２から電源ブロック１は外れないようにできるのであり、使用中の電動工具の機器本体２から電源ブロック１の予期し得ない脱落の防止を図ることができるのである。
【００３１】
また、仮装着状態では係止手段の係合が行われずに完全装着状態で初めて係止手段の係合が可能とするようにしてもよい。具体的に、電源ブロック１の端子部９を機器本体２の把持部２９の内方に挿入させた仮装着状態では、電源ブロック１の係止爪６が機器本体２の被係止部７と係合し得ない位置にあり、この仮装着状態にある電源ブロック１を完全装着状態にすべく水平回転させることで、電源ブロック１の係止爪６が機器本体２の被係止部７と係合し得る位置に位置されるようにするのである。これによると、係止手段を係合させた状態が電動工具への通電状態となるから、電源ブロック１の機器本体２への装着操作を行わせた使用者に簡易な装着感を感じさせることができる。
【００３２】
更には、この仮装着状態と完全装着状態との移行が、上記同様、電源ブロック１自体の機器本体への装着操作で行わせるようにした電動工具では、係止爪６が機器本体２に対して固定状態に設けられていてもよい。つまり、電源ブロック１の端子部９を機器本体２の把持部２９の内方に挿入させた仮装着状態では、電源ブロック１の係止爪６が機器本体２の被係止部７と係合し得ない位置にあり、この仮装着状態にある電源ブロック１を完全装着状態にすべく水平回転させることで、電源ブロック１の係止爪６が機器本体２の被係止部７と係合し得る位置にスライドされて被係止部７と係合されるようにするのである。これによると、係止爪６の構造を簡易にできて電動工具の構成の簡略化を図ることもできるのである。
【００３３】
【発明の効果】
上記のように本発明の請求項１記載の発明にあっては、機器本体への給電を行う電源ブロックを、係止手段を介して機器本体に着脱自在に装着してなる電気機器において、係止手段の係合を解除させるために操作する操作部を電源ブロックに設けると共に、この操作部の操作方向を電源ブロックの機器本体への着脱方向に対する軸廻り方向に設定したので、電源ブロックを機器本体から取外す操作は、電源ブロックを掴む力を利用して操作部を回転させればよいものとなり、つまり従来技術のように電源ブロック内に操作部を押し込むために電源ブロックをしっかりと掴むといった必要はなく、電源ブロックに重量化・大型化が施されて電源ブロックが掴みにくくまた操作部の操作に必要な力が大きくなっても、その操作への影響は従来のものに比べて軽微にでき、電源ブロックの重量化・大型化にも操作性の悪化を伴わずに対応可能になる。したがって、電源ブロックの機器本体への装着構造を汎用することができて、各種容量の電源ブロックの商品展開を容易にすることができるのである。
【００３４】
また、請求項２記載の発明にあっては、請求項１の効果に加え、電源ブロックの外殻ハウジングを操作部としたので、電源ブロック自体を掴んでそのまま回転させるといった操作で電源ブロックの機器本体からの取外しが行え、電源ブロックの機器本体からの取外しにかかる操作性の向上を図ることができる。
【００３５】
また、請求項３記載の発明にあっては、請求項１の効果に加え、ある一定の回転位置に位置した操作部によって係止手段の係合が解除されるように設定したので、操作部をある程度回転させたときに初めて係止手段の係合の解除にかかる力が必要とされるようになり、操作部の回転操作の開始と同時に上記解除にかかる力が必要とされるものに比べ、係止手段の係合の解除を操作部へのスムーズな力の付加によって行うことができ、電源ブロックの機器本体からの取外しにかかる操作性の向上を図ることができる。
【００３６】
また、請求項４記載の発明にあっては、請求項１の効果に加え、電源ブロックと機器本体との電気的接続を行わせる通電端子を電源ブロック及び機器本体にそれぞれ設け、この通電端子同士の接触を機器本体に対する電源ブロックの回転動作によって行うように設定したので、たとえば、通電端子同士の接触を行う電源ブロックの回転動作の回転方向を、電源ブロックと機器本体との着脱動作である操作部の回転操作方向と同じ方向に設定すると、操作部の回転操作の延長操作上で電源ブロックと機器本体との電気的接続または切断を行わせることができ、つまり電源ブロックと機器本体との着脱及び電気的接続を操作部の一連の操作によって行わせることができ、電源ブロックと機器本体との電気的接続と共に行われる着脱操作の操作性の向上を図ることができる。
【００３７】
また、請求項５記載の発明にあっては、請求項４の効果に加え、電源ブロックまたは機器本体の少なくとも一方の通電端子における接触面に、通電域と非通電域とを電源ブロックの回転方向に並べて配置したので、電源ブロックを回転させて所定位置に通電端子の通電域を位置させたときのみに電源ブロックと機器本体との電気的接続が為されるようにでき、たとえば、電源ブロックを機器本体に係止手段を介して係合させた状態において、電源ブロックと機器本体との通電端子の接触状態に通電域での接触状態と非通電域での接触状態との２つの状態を設定することができ、この電源ブロックの機器本体への通電の有無に違いのある２つの状態を、電気機器の駆動スイッチとして利用したり、ロック機能として利用して電源ブロック装着時の電動工具の誤作動の防止を図ったり、電源ブロックの操作部の誤操作によってもすぐに機器本体から電源ブロックが外れないようにして使用中の電動工具の機器本体から電源ブロックの予期し得ない脱落の防止を図ることができる。
【図面の簡単な説明】
【図１】本発明の実施の形態の例における係止手段を係合させ得る状態（通常状態）の電源ブロックの斜視図である。
【図２】同上の係止手段の係合を解除させ得る状態の電源ブロックの斜視図である。
【図３】図１の状態の電源ブロックの縦断面図である。
【図４】図２の状態の電源ブロックの縦断面図である。
【図５】図３のＤ−Ｄ線水平断面図である。
【図６】図４のＥ−Ｅ線水平断面図である。
【図７】（ａ）は図３のＦ−Ｆ線水平断面図であり、（ｂ）は（ａ）の要部拡大図である。
【図８】（ａ）は図４のＧ−Ｇ線水平断面図であり、（ｂ）は（ａ）の要部拡大図である。
【図９】同上の電動工具の全体側面図である。
【図１０】本発明の実施の形態の他例を示し、（ａ）（ｂ）（ｃ）は電源ブロック要部の動作を順に説明する説明図である。
【図１１】本発明の実施の形態の更に他例における係止手段を係合させ得る状態（通常状態）の電源ブロックの斜視図である。
【図１２】同上の係止手段の係合を解除させ得る状態の電源ブロックの斜視図である。
【図１３】図１１の状態の電源ブロックの縦断面図である。
【図１４】図１２の状態の電源ブロックの縦断面図である。
【図１５】（ａ）は図１３のＨ−Ｈ線水平断面図であり、（ｂ）は（ａ）の要部拡大図である。
【図１６】（ａ）は図１４のＩ−Ｉ線水平断面図であり、（ｂ）は（ａ）の要部拡大図である。
【図１７】本発明の実施の形態の更に他例の電源ブロックの斜視図である。
【図１８】同上の要部の上面図である。
【図１９】同上の電源ブロックの機器本体への仮装着状態を示し、（ａ）は斜視図であり、（ｂ）は要部の上面図である。
【図２０】同上の電源ブロックの機器本体への完全装着状態を示し、（ａ）は斜視図であり、（ｂ）は要部の上面図である。
【図２１】従来技術の例における、電源ブロックの機器本体への装着状態の要部の縦断面図である。
【符号の説明】
１  電源ブロック
２  機器本体
３  操作部
４  ブロック本体
５  外殻ハウジング
６  係止爪
７  被係止部
８  ２次電池
９  端子部
１０  通電端子
１０ａ  機器本体側通電端子
１０ｂ  電源ブロック側通電端子
１１  爪部材
１２  板バネ
１３  押圧部
１４  被押圧部
１５  嵌合溝
２５  通電域
２６  非通電域
Ａ  着脱方向
Ｂ  軸廻り方向
【図１】
2004152507.tif 000003
【図２】
2004152507.tif 000004
【図３】
2004152507.tif 000005
【図４】
2004152507.tif 000006
【図５】
2004152507.tif 000007
【図６】
2004152507.tif 000008
【図７】
2004152507.tif 000009
【図８】
2004152507.tif 000010
【図９】
2004152507.tif 000011
【図１０】
2004152507.tif 000012
【図１１】
2004152507.tif 000013
【図１２】
2004152507.tif 000014
【図１３】
2004152507.tif 000015
【図１４】
2004152507.tif 000016
【図１５】
2004152507.tif 000017
【図１６】
2004152507.tif 000018
【図１７】
2004152507.tif 000019
【図１８】
2004152507.tif 000020
【図１９】
2004152507.tif 000021
【図２０】
2004152507.tif 000022
【図２１】
2004152507.tif 000023